(57)【特許請求の範囲】
【請求項１】
換気扇枠に取り付けられ、該換気扇枠の換気口を覆うフィルタを支持する換気扇フィルタ保持枠において、
各一端部が第１の板状ヒンジ部により連結され、内側空間が通気口となった２つの斜面枠部と、該２つの斜面枠部の各他端部に配置され、かつ前記換気扇枠に取り付けられる２つの取り付け板片とが、それぞれ第２の板状ヒンジ部を介して、同一素材で一体的に連結された合成樹脂またはアルミ箔からなる１枚の矩形状の基材シートと、
前記第１の板状ヒンジ部を棟とする三角屋根形状または台形屋根形状に折り曲げた前記基材シートの２つの取り付け板片を、前記換気口に前記基材シートを被せた状態で前記換気扇枠に固定する固定部材とを備え、
前記各斜面枠部には、前記通気口を複数の部分通気口に分割する仕切り枠が、前記基材シートと同一素材で一体的にそれぞれ形成され、
前記各仕切り枠および前記各斜面枠部には、突条の補強リブが前記基材シートと同一素材で一体的に形成され、
前記各斜面枠部の一端部のうち、前記棟の長さ方向の両端部分には、前記基材シートを三角屋根形状または台形屋根形状に折り曲げた際に前記基材シートの棟の長さ方向の両端面に現出する側面通気口を複数の部分側面通気口に分割する側面巻き込み防止枠が、前記基材シートと同一素材で一体的にそれぞれ形成された換気扇フィルタ保持枠。
【発明の詳細な説明】
【技術分野】
【０００１】
この発明は、換気扇フィルタ保持枠、詳しくは換気扇枠の換気口を覆うフィルタを支持する換気扇フィルタ保持枠に関する。
【背景技術】
【０００２】
家庭の台所や飲食店の厨房では、油煙や埃などによる換気扇のファンおよびモータの汚れを防止するため、換気扇枠の換気口をフィルタにより覆うことが行われている。
フィルタを換気扇枠の換気口に装着する用具として、例えば、合成樹脂からなる矩形枠体の一方の開口部にフィルタが展張された換気扇カバーが知られている。これは、矩形状の換気扇枠の全体にキャップ状に装着することで、換気口をフィルタにより覆うものである。しかしながら、このような構造の換気扇カバーの場合、１品１サイズとなっていた。そのため、開口部のサイズに応じて、大きさが異なる換気扇カバーが必要であった。
【０００３】
そこで、近年、換気扇枠の開口部のサイズに合わせてその大きさを調整可能な換気扇のフィルター保持枠が開発されている（例えば、特許文献１）。
特許文献１のフィルター保持枠は、長さ方向の中間に配置されたヒンジ部を中心として線対称に折り曲げ可能な１枚の矩形状の基材シートを本体としたものである。基材シートのうち、ヒンジ部の両側部分が、中央部に通気口を有した２枚の斜面枠部となっている。使用時、換気口のサイズに応じて基材シートの屈曲角を変更し、その後、この折り曲げた基材シートを換気口に被せる。それから、フィルタを斜面枠部の上から換気扇枠に装着する。
【先行技術文献】
【非特許文献】
【０００４】
【特許文献１】特許第３４７１７０２号公報
【発明の概要】
【発明が解決しようとする課題】
【０００５】
しかしながら、特許文献１の換気扇のフィルター保持枠には、このように両斜面枠部の内側に大きな通気口が形成されている。また、基材シートを折り曲げた際にも、基材シートの棟の長さ方向の両端面に側面通気口が現出する。そのため、換気扇のファンを高速回転させた場合などには、フィルタが通気口および側面通気口を通して換気扇のファンに巻き込まれていた。その結果、フィルタおよびフィルター保持枠が破損したり、この巻き込みによる過剰トルクなどを原因として換気扇のモータが故障するなどの不具合が発生するおそれがあった。
また、特許文献１の換気扇のフィルター保持枠は、このように１枚の基材シートから製造されたものであった。そのため、低強度で変形し易く、換気扇のフィルタを換気口の上方で展張したまま保持する保持枠としての機能性に課題があった。そこで、これを解消する技術として、特許文献１には斜面枠部の外側の縁（通気口側とは反対側の縁）に、内折りして斜面枠部を補強する折り曲げ片を形成することが開示されている。しかしながら、折り曲げ片では、折り曲げに手間を要する。その結果、フィルター保持枠の強度を高める目的で折り曲げ片の形成本数を増やすほど、その折り曲げ作業に手間と間違いが生じたり、使用し難いものとなっていた。
【０００６】
そこで、発明者は鋭意研究の結果、各斜面枠部の通気口および側面通気口を複数に分割する仕切り枠を、合成樹脂またはアルミ箔からなる基材シートと同一素材で一体的に形成し、また各仕切り枠および各斜面枠部に突条の補強リブを、基材シートと同一素材で一体的に形成するように構成すれば、上述した問題は全て解消されることを知見し、この発明を完成させた。
【０００７】
この発明は、斜面枠部の通気口を通した換気扇へのフィルタの巻き込みを防止することができ、しかも製造された時点で補強構造を有するとともに、基材シートの棟の長さ方向の両端面に現出した側面通気口を通しての換気扇へのフィルタの巻き込みを防止することができる換気扇フィルタ保持枠を提供することを目的としている。
【課題を解決するための手段】
【０００８】
請求項１に記載の発明は、換気扇枠に取り付けられ、該換気扇枠の換気口を覆うフィルタを支持する換気扇フィルタ保持枠において、各一端部が第１の板状ヒンジ部により連結され、内側空間が通気口となった２つの斜面枠部と、該２つの斜面枠部の各他端部に配置され、かつ前記換気扇枠に取り付けられる２つの取り付け板片とが、それぞれ第２の板状ヒンジ部を介して、同一素材で一体的に連結された合成樹脂またはアルミ箔からなる１枚の矩形状の基材シートと、前記第１の板状ヒンジ部を棟とする三角屋根形状または台形屋根形状に折り曲げた前記基材シートの２つの取り付け板片を、前記換気口に前記基材シートを被せた状態で前記換気扇枠に固定する固定部材とを備え、前記各斜面枠部には、前記通気口を複数の部分通気口に分割する仕切り枠が、前記基材シートと同一素材で一体的にそれぞれ形成され、前記各仕切り枠および前記各斜面枠部には、突条の補強リブが前記基材シートと同一素材で一体的に形成され、前記各斜面枠部の一端部のうち、前記棟の長さ方向の両端部分には、前記基材シートを三角屋根形状または台形屋根形状に折り曲げた際に前記基材シートの棟の長さ方向の両端面に現出する側面通気口を複数の部分側面通気口に分割する側面巻き込み防止枠が、前記基材シートと同一素材で一体的にそれぞれ形成された換気扇フィルタ保持枠である。
【０００９】
請求項１に記載の発明によれば、各斜面枠部に通気口を複数の部分通気口に分割する仕切り枠を、基材シートと同一素材で一体的に形成したので、斜面枠部の通気口を通した換気扇へのフィルタの巻き込みを防止することができる。しかも、各仕切り枠および各斜面枠部に突条の補強リブを、基材シートと同一素材で一体的に形成する構成を採用したので、従来品のように、使用の際に斜面枠部を補強するための折り曲げ片を折り曲げる煩わしさがなく、製造された時点で補強構造を有したものとなる。
すなわち、換気扇フィルタ保持枠の使用時には、第１の板状ヒンジ部を中心にして基材シートを三角屋根形状または台形屋根形状に折り曲げ、この状態の基材シートを換気口に被せるように、固定部材を用いて両取り付け板片を換気扇枠に固定するだけでよい。
【００１０】
また、換気扇フィルタ保持枠の使用時において、第１の板状ヒンジ部を中心にして基材シートを三角屋根形状または台形屋根形状に折り曲げることで、基材シートの棟の長さ方向の両端面に、側面視して三角形状の側面通気口が現出する。これらの側面通気口が、両側面巻き込み防止枠によって複数の部分側面通気口に分割される。その結果、両側面通気口を通して発生するフィルタの換気扇への巻き込みを防止することができる。
【００１１】
しかも、側面巻き込み防止枠を、各斜面枠部の一端部のうち、棟の長さ方向の両端部分にそれぞれ配置する構成を採用したので、使用時、各斜面枠部の一端部のうち、棟の長さ方向の両端部分には、この棟の長さ方向の両端部分と両側面巻き込み防止枠とから仮想の補強構造枠体が現出する。これにより、単なる羽根形状の折り曲げ片を斜面枠部に形成しただけの従来品では得られない高い強度を、各斜面枠部の一端部のうち、棟の長さ方向の両端部分に付与することができる。
【００１２】
換気扇としては、各種の家庭用換気扇、各種の業務用換気扇などを採用することができる。換気扇は建物の側壁に設置されるものでもよいし、建物の天井に設置されるものでもよい。
換気扇枠の素材としては、例えば各種の合成樹脂（ポリプロピレン、ポリエチレン、ポリ塩化ビニル、ＡＢＳを含むフッ素系樹脂など）、各種の金属（鉄、ステンレス、アルミニウムなど）、各種の木（杉、檜、松、桐、楠など）、各種のセラミックスなどを採用することができる。
換気扇枠の外観形状としては、換気口と正対する方向から視て、例えば円形、楕円形、四角形を含む三角形以上の多角形を採用することができる。
換気扇枠の大きさは、換気口のサイズにより適宜変更される。換気口（ファン）のサイズ（直径）は任意である。例えば一般家庭用で１５ｃｍ、２０ｃｍ、２５ｃｍ、３０ｃｍ、業務用で３０ｃｍ〜６０ｃｍなどである。
【００１３】
基材シートの素材としては、例えばポリプロピレン、ポリエチレン、ポリ塩化ビニル、ＡＢＳを含むフッ素系樹脂、ポリカーボネート、ポリエチレンテレフタレート（ＰＥＴ）などの各種の合成樹脂を採用することができる。このうち、難燃性の合成樹脂が好ましい。また、基材シートの別の素材としては、アルミ箔（アルミニウム製のフィルム箔）を採用することができる。換気扇フィルタ支持枠の基材シート用のアルミ箔は、プレス処理によって所定形状に成形され、かつ補強されているものとする。
基材シートの厚さは、合成樹脂製のものの場合で０．５ｍｍ以上、例えば０．５ｍｍ、０．７ｍｍ、０．８ｍｍである。また、アルミ箔製のものの場合で０．２ｍｍ以上、例えば０．２５ｍｍ〜０．５ｍｍである。
【００１４】
基材シートは、２つの斜面枠部と、２つの取り付け板片と、１つの第１の板状ヒンジ部と、２つの第２の板状ヒンジ部とから構成されている。これら７つのシート構成部品は、同一素材で一体的に連結されている。これらのシート構成部品を有した基材シートの製造方法としては、例えば真空成形、圧空成形、プレス成形、射出成形などを採用することができる。
また、基材シートの各斜面枠部の一端部のうち、棟の長さ方向の両端部分には、基材シートを三角屋根形状または台形屋根形状に折り曲げた際に、基材シートの棟の長さ方向の両端面に現出する、側面視して三角形状の側面通気口を分割するための側面用仕切り枠を配設してもよい。側面用仕切り枠の形状は任意であり、その形成本数も任意である。このように、両側面用仕切り枠を基材シートに形成した場合には、両側面通気口からのフィルタの換気扇への巻き込みを防止することができる。また、両側面用仕切り枠に前記補強リブを形成した場合には、両側面用仕切り枠を補強することができる。
【００１５】
２つの斜面枠部の外観形状は、例えば矩形枠形状（正方形状、長方形状、台形枠形状を含む）などを採用することができる。また、両斜面枠部は、異なる形状でもよいが同一形状の方が好ましい。両斜面枠部のサイズも、異なるサイズでもよいものの、同一サイズの方が好ましい。
第１の板状ヒンジ部および第２の板状ヒンジ部は、基材シートの一端から他端まで連続的に薄肉化（合成樹脂製の場合で厚さ０．５〜１ｍｍ、アルミ箔製の場合で厚さ０．１ｍｍ程度）された１本筋の折り曲げ部（溝）または平行な２本筋以上の折り曲げ部を有している。折り曲げ部の断面形状はＵ字形状、Ｖ字形状などである。「板状ヒンジ部」とは、このように基材シートの一部を薄肉化することで形成され、かつ基材シートと同一素材で一体的に形成されたヒンジ部である。
第１の板状ヒンジ部の幅が小さければ、基材シートの折り曲げ形状は三角屋根形状となる。また、第１の板状ヒンジ部の幅が大きければ、基材シートの折り曲げ形状は台形屋根形状となる。
【００１６】
２つの取り付け板の形状は、例えば矩形枠形状などを採用することができる。両取り付け板の形状は、異なる形状でもよいが同一形状の方が好ましい。両取り付け板のサイズも、異なるサイズでもよいが同一サイズの方が好ましい。
換気扇枠の表面（露出面）における両取り付け板の取り付け位置は、例えば換気扇枠のうち、換気口を中心とした両側部分を採用することができる。この部分は、例えば、換気口が形成された枠板（前板）のうちで、換気口の中心線を中心とした線対称の部分である。その他、換気扇枠の外周枠板のうち、換気口の中心線を中心とした線対称の部分などでもよい。
固定部材としては、例えば両面テープ、接着剤などを採用することができる。取り付け板片における固定部材の設置位置は、一般的に取り付け板片の裏面である。ただし、取り付け板片は第２のヒンジ部により折り曲げ自在であることから、取り付け板片の表面に固定部材を設置してもよい。
【００１７】
仕切り枠の形状としては、例えば直線形状、十字形状、Ｖ字形状、Ｕ字形状を採用することができる。その他、任意形状でもよい。
補強リブは、基材シートの一端から他端までには達しない連続する突条部である。
各仕切り枠および各斜面枠部において、補強リブが形成される部分（領域）は任意である。また、補強リブの形成本数は１本でも２本以上でもよい。補強リブは、直線状のリブでも曲線状のリブでもよい。補強リブの突出方向は、基材シートの表側でも裏側でもよい。
補強リブの断面形状としては、例えばＵ字形状、Ｖ字形状などを採用することができる。
補強リブの長さ方向は、補強リブが形成される仕切り枠の長さ方向または斜面枠部の補強リブが形成される枠部分の長さ方向とした方が補強効果が高まるために好ましい。
【００１８】
側面巻き込み防止枠は、基材シートに形成された前記側面用仕切り枠の一種で、板状ヒンジ部により連結された２つ以上の部分側面巻き込み防止枠から構成されている。
各部分側面巻き込み防止枠には、補強リブを基材シートと同一素材で一体的に形成してもよい。補強リブの長さ方向は、部分側面巻き込み防止枠の長さ方向とした方が、補強効果が高まるために好ましい。
【発明の効果】
【００１９】
請求項１に記載の発明によれば、各斜面枠部に通気口を複数の部分通気口に分割する仕切り枠を、基材シートと同一素材で一体的に形成したので、斜面枠部の通気口を通した換気扇へのフィルタの巻き込みを防止することができる。しかも、各仕切り枠および各斜面枠部に突条の補強リブを、基材シートと同一素材で一体的に形成する構成を採用したので、従来品のように、使用の際に斜面枠部を補強する折り曲げ片を折り曲げる煩わしさがなく、製造された時点で補強構造を有したものとなる。
また、第１の板状ヒンジ部を中心にして基材シートを三角屋根形状または台形屋根形状に折り曲げた際に、基材シートの棟の長さ方向の両端面に現出した側面通気口を、側面巻き込み防止枠により複数の部分側面通気口に分割する。これにより、両側面通気口を通して、フィルタが換気扇に巻き込まれるのを防止することができる。
【図面の簡単な説明】
【００２０】
【図１】この発明の実施例１に係る換気扇フィルタ保持枠の使用状態を示す斜視図である。
【図２】この発明の実施例１に係る換気扇フィルタ保持枠の平面図である。
【図３】この発明の実施例１に係る換気扇フィルタ保持枠の斜視図である。
【図４】この発明の実施例１に係る別の態様の換気扇フィルタ保持枠の平面図である。
【図５】この発明の実施例１に係るまた別の態様の換気扇フィルタ保持枠の平面図である。
【図６】この発明の実施例１に係るさらに別の態様の換気扇フィルタ保持枠の平面図である。
【図７】この発明の実施例１に係る換気扇フィルタ保持枠の別の使用状態を示す斜視図である。
【図８】（ａ）は、この発明の実施例２に係る換気扇フィルタ保持枠の使用状態を示す斜視図である。（ｂ）は、この発明の実施例２に係る換気扇フィルタ保持枠の一部を構成する側面巻き込み防止枠の組み立て前の状態を示す要部拡大平面図である。
【図９】この発明の実施例２に係る換気扇フィルタ保持枠の別の使用状態を示す斜視図である。
【発明を実施するための形態】
【００２１】
以下、この発明の実施例を具体的に説明する。ここでは、換気口が多孔質板により被覆されずに露出した家庭用の換気扇枠にフィルタを取り付ける換気扇フィルタ保持枠を例とする。
【実施例】
【００２２】
図１において、１０はこの発明の実施例１に係る換気扇フィルタ保持枠で、この換気扇フィルタ保持枠１０は、正面視して正方形状の家庭用の換気扇の換気扇枠１１に取り付けられ、換気扇枠１１の換気口１２を覆う周囲にゴム紐の弾力性を付加した難燃性の合成樹脂繊維からなる不織布製のフィルタ１３を支持するものである。換気扇フィルタ保持枠１０は、換気扇枠１１の１辺（２５〜４０ｃｍ）より横方向の長さが長い平面視して矩形状の基材シート１４と、これを三角屋根形状（台形屋根形状）に折り曲げた状態で換気扇枠１１に固定する両面テープ（固定部材）１５とを備えている。
図２および図３に示すように、基材シート１４は、難燃性の合成樹脂（難燃性ポリプロピレンなど）からなる厚さ０．５ｍｍ、長さ４４ｃｍ、幅２７ｃｍの薄板である。基材シート１４には、２つの斜面枠部１６と、１つの第１の板状ヒンジ部１７と、２つの取り付け板片１８と、２つの第２の板状ヒンジ部１９と、２つの側面巻き込み防止枠２０とが真空成形されている。真空成形されたこれらの部品は、当然ながら基材シート１４と同一素材で一体的に連結されている。
【００２３】
以下、これらの構成体を具体的に説明する。
両斜面枠部１６は、基材シート１４の長さ方向（シート長さ方向）の両側部に配置されている。両斜面枠部１６には、内側空間に換気扇枠１１の換気口１２と連通可能な通気口２１がそれぞれ形成されている。両斜面枠部１６は平面視して同一台形の枠部材で、補強を目的として外周縁部を残した略全域が、均一な高さでシート表面側へ隆起している。また、両通気口２１の形状も両斜面枠部１６と同様の台形である。
【００２４】
両斜面枠部１６には、その下底側の枠部１６ａの長さ方向の中間部と、下底側の枠部１６ａより短尺な上底側の枠部１６ｂの長さ方向の中間部とが、シート長さ方向に長い１本の直線状の仕切り枠２２によりそれぞれ連結されている。両仕切り枠２２は、通気口２１を２つの部分通気口２３に均等に分割する部材で、基材シート１４と同一素材で一体的に形成されている。両部分通気口２３は、平面視して仕切り枠２２を中心線とした線対称の形状となっている。なお、直線状の仕切り枠２２に代えて、例えば通気口２１を４つに分割する十字形状の仕切枠２２Ａ（図４）や、通気口２１を３つに分割するＶ字形状の仕切り枠２２Ｂ（図５）を採用してもよい。なお、仕切枠２２Ａには、シート長さ方向の枠部分に補強リブ２４が形成されている。また、仕切り枠２２Ｂには補強リブ２４が形成されていないものの、これを形成してもよい。
【００２５】
両斜面枠部１６のうち、シート幅方向の両側の枠部分１６ｃと仕切り枠２２とには、両枠部分１６ｃの長さ方向および仕切り枠２２の長さ方向へ長い補強リブ２４が、基材シート１４と同一素材で一体的に、かつシート裏側への突出状態で１本ずつ形成されている。両斜面枠部１６のシート幅方向の両側部には、平面視して直角三角形状の一対の膨出部１６ｄが、基材シート１４と同一素材で一体的に形成されている。また、両斜面枠部１６は、それぞれの上底側の枠部分が第１の板状ヒンジ部１７により連結されている。
【００２６】
第１の板状ヒンジ部１７は、基材シート１４の長さ方向の中間部（使用時に基材シート１４を三角屋根形状に折り曲げた際の棟の部分）に配置されている。第１の板状ヒンジ部１７は、基材シート１４の幅方向（シート幅方向）へ長い短冊状の部材で、平行な２本筋の断面Ｕ字形状の折り曲げ部３１が、そのシート長さ方向の両辺に形成されている。第１の板状ヒンジ部１７のうち、両折り曲げ部３１の間には、シート表側へ突出したシート幅方向へ長い１本の補強リブ２４が、第１の板状ヒンジ部１７の略全長にわたって、基材シート１４と同一素材で一体的に形成されている。両斜面枠部１６の下底側の枠部分には、第２の板状ヒンジ部１９を介して、２つの取り付け板片１８が、この下底側の枠部分の外側（通気口２１側とは反対側）の辺の全長にわたって連結されている。
【００２７】
両取り付け板片１８は、基材シート１４の長さ方向の両端部に配置されている。両取り付け板片１８は、シート幅方向に長い短冊形状の板材である。
また、両第２の板状ヒンジ部１９は、基材シート１４の長さ方向の両端部付近に配置されている。両第２の板状ヒンジ部１９は、シート幅方向に長い１本筋の薄肉な断面Ｕ字形状の折り曲げ部からなる。
【００２８】
前記２つの側面巻き込み防止枠２０は、基材シート１４の長さ方向の中間部のうち、シート幅方向の両端部分に配置されている。両側面巻き込み防止枠２０は、両斜面枠部１６の対峙する膨出部１６ｄの間に架け渡されたシート長さ方向に長く、かつ略Ｖ字形状に折れ曲がる帯形状の部材である（図１）。
両側面巻き込み防止枠２０は、第３の板状ヒンジ部２５により各一端部が連結された同一長さの２つの部分側面巻き込み防止枠３０を有している。各部分側面巻き込み防止枠３０には、シート長さ方向へ延びる補強リブ２４が、基材シート１４の表面側へ突出状態で、かつ基材シート１４と同一素材で一体的に形成されている。
なお、シート長さ方向に長い直線的な側面巻き込み防止枠２０に代えて、長さ方向の中間部が平面視してくの字形状に外方へせり出した側面巻き込み防止枠２０Ａを採用してもよい（図６）。このように構成にすれば、基材シート１４を折り曲げた際、両側面巻き込み防止枠２０の場合よりその長さ方向の中間部が外方へせり出した分だけ換気口１２からのフィルタ１３の離間距離が長くなる。そのため、フィルタ１３の換気扇への巻き込み防止効果が高まる。
【００２９】
第３の板状ヒンジ部２５は、前記第１の板状ヒンジ部１７と同一幅を有する平面視して略正方形状の部材である。第３の板状ヒンジ部２５は、平行な２本筋の断面Ｕ字形状の折り曲げ部２５ａが、そのシート長さ方向の両辺に形成されている。第３の板状ヒンジ部２５のうち、両折り曲げ部２５ａの間には、シート表側へ突出した１本の短尺な補強リブ２４が、基材シート１４と同一素材で一体的に形成されている。
両部分側面巻き込み防止枠３０の他端部は、１本筋の断面Ｕ字形状の折り曲げ部である２つの第４の板状ヒンジ部２６を介して、対応する膨出部１６ｄに連結されている。各第４の板状ヒンジ部２６は、シート表側へ突出している。
また、基材シート１４の長さ方向の中間部のうち、そのシート幅方向の両端部分には、両斜面枠部１６と側面巻き込み防止枠２０との間に、平面視して横長なホームベース形状（五角形）の切欠部２７がそれぞれ形成されている。
【００３０】
次に、図１〜図３および図７を参照して、この発明の実施例１に係る換気扇フィルタ保持枠１０の使用方法を説明する。
図１に示すように、換気扇フィルタ保持枠１０を使用する際には、まず第１の板状ヒンジ部１７、具体的には第１の板状ヒンジ部１７の２本の平行な折り曲げ部３１を中心にして、基材シート１４を三角屋根形状に折り曲げる。このとき、側面巻き込み防止枠２０が第３の板状ヒンジ部２５および第４の板状ヒンジ部２６を介して、逆三角形状（Ｖ字形状）に折り曲がる。しかも、基材シート１４の長さ方向の中間部のうち、シート幅方向の両端面（棟の長さ方向の両端面）には、側面視して三角形状の側面通気口３２がそれぞれ現出する。両側面通気口３２は、両側面巻き込み防止枠２０により２つの部分側面通気口３２ａに分割される。その結果、換気扇のファン３３を高速回転させた際、両側面通気口３２を通して発生するフィルタ１３の換気扇への巻き込みを防止することができる。
【００３１】
しかも、使用時には、逆折れした側面巻き込み防止枠２０を、両斜面枠部１６の一端部のうち、シート幅方向の両端部分にそれぞれ配置したことで、これらの部分には、両斜面枠部１６と両側面巻き込み防止枠２０とから、側面視して矩形状の仮想の補強構造枠体Ａが現出する。その結果、単なる羽根形状の折り曲げ片を斜面枠部１６に形成したのみの従来品では得られない高い強度を、両斜面枠部１６の上底側の枠部分のうち、長さ方向の両端部分に付与することができる。
その後、２つの第２の板状ヒンジ部１９を介して、両取り付け板片１８をそれぞれ内折り（側面巻き込み防止枠２０の折り曲げ方向への折り）する。次に、これらの取り付け板片１８を、換気扇枠１１の外周枠板１１ａのうち、換気口１２の中心線を中心とした線対称の部分に、各両面テープ１５により固定（接着）する。その後、換気扇フィルタ保持枠１０の上から、フィルタ１３を換気扇枠１１に被せる。
【００３２】
このように、両斜面枠部１６に通気口２１を２つの部分通気口２３に分割する仕切り枠２２を、基材シート１４と同一素材で一体的に形成するように構成したので、両斜面枠部１６の通気口２１を通した換気扇へのフィルタ１３の巻き込みを防止することができる。しかも、両仕切り枠２２および両斜面枠部１６には、それぞれ補強リブ２４が、基材シート１４と同一素材で一体的に形成されているので、従来品のように、使用の際に斜面枠部１６を補強する折り曲げ片を折り曲げる煩わしさがなく、製造された時点で補強構造を有した換気扇フィルタ保持枠１０を得ることができる。
【００３３】
また、図７に示すように、実施例１の換気扇フィルタ保持枠１０は、大型の換気扇の換気扇枠１１にも使用することができる。この場合には、基材シート１４を三角屋根形状に折り曲げたのち、両取り付け板片１８を外折り（側面巻き込み防止枠２０の折り曲げ方向とは反対方向への折り）し、換気扇枠１１のうち、換気口１２が形成された枠板（前板）１１ｂのうちで、換気口１２の中心線を中心とした線対称の部分に、各両面テープ１５を用いて固定する。このように、実施例１の換気扇フィルタ保持枠１０は、サイズが異なる換気扇であっても使用することができる。
【００３４】
次に、図８（ａ）,（ｂ）および図９を参照して、この発明の実施例２に係る換気扇用フィルタ保持枠を説明する。
図８（ａ）に示すように、実施例２の換気扇用フィルタ保持枠１０Ａの特徴は、実施例１の第１の板状ヒンジ部１７に代えて長さが短い第１の板状ヒンジ部１７Ａを採用し、かつ実施例１の両斜面枠部１６に代えて、上底側の枠部１６ｂの長さが短い両斜面枠部１６Ａを採用するとともに、実施例１の側面巻き込み防止枠２０に代えて、４段式の逆さピラミッド形状の側面巻き込み防止枠２０Ｂを採用した点である。第１の板状ヒンジ部１７Ａを短尺化したことで、両側面通気口３２の開口面積を実施例１のものに比べて大きくすることができる。これにより、基板シート１４のうち、両側面通気口３２の棟側の形成部分に、組み立て前の１枚のシートに展開された側面巻き込み防止枠２０Ｂを形成することができる（図８（ｂ））。
【００３５】
側面巻き込み防止枠２０Ｂは、両斜面枠部１６Ａの対峙する小型の膨出部１６ｄの間に架け渡されたシート長さ方向に長い略矩形状のシート片４０を本体とする。このシート片４０は、基材シート１４と同一素材で一体的に形成されている。シート片４０には、その両長辺からの切り込み方向を交互に変更しながら、シート長さ方向へ所定ピッチで６本のスリットＳが、シート幅方向と平行にそれぞれ形成されている。これにより、シート片４０には、シート長さ方向の両端部から中央へ向かって順次、２つの第１の部分側面巻き込み防止枠３０Ａと、２つの第２の部分側面巻き込み防止枠３０Ｂと、２つの第３の部分側面巻き込み防止枠３０Ｃと、１つの第４の部分側面巻き込み防止枠３０Ｄとが形成される。また、第１〜第４の部分側面巻き込み防止枠３０Ａ〜３０Ｄには、それぞれシート幅方向へ長い補強リブ２４が、基材シート１４と同一素材で一体的に形成されている。
【００３６】
各第１の部分側面巻き込み防止枠３０Ａと各第２の部分側面巻き込み防止枠３０Ｂとは、折り曲げ線を介して、第１の連結枠４１により連結されている。また、各第２の部分側面巻き込み防止枠３０Ｂと各第３の部分側面巻き込み防止枠３０Ｃとは、折り曲げ線を介して、２つの第２の連結枠４２により連結されている。さらに、各第３の部分側面巻き込み防止枠３０Ｃと第４の部分側面巻き込み防止枠３０Ｄとは、折り曲げ線を介して、長尺な１つの第３の連結枠４３により連結されている。なお、第４の側面巻き込み防止枠３０Ｄの先端には、折り曲げ線を介して、短尺な板片の取り付け板片１８Ａが連結されている。また、第１〜第３の連結枠４１〜４３および取り付け板片１８Ａは、基材シート１４と同一素材で一体的に形成されている。
【００３７】
次に、図８および図９を参照して、この発明の実施例２に係る換気扇用フィルタ保持枠１０Ａの使用方法を説明する。
図８（ａ）,（ｂ）に示すように、実施例２に係る換気扇用フィルタ保持枠１０Ａの使用時には、第１〜第４の部分側面巻き込み防止枠３０Ａ〜３０Ｄを、第１〜第３の連結枠４１〜４３との折り曲げ線を中心とし、かつシート表側およびシート裏側への折り曲げ方向を交互に変更しながら折り曲げる。これにより、４段式の逆さピラミッド形状の側面巻き込み防止枠２０Ｂが組み立てられる。組み立て後、２つの短尺な両面テープ１５を使用し、換気扇枠１１の外周枠板１１ａのうち、取り付け板片１８の取り付け位置とは直角に配置された部分に、取り付け板片１８Ａを固定する。
また、図９に示すように、実施例２の換気扇フィルタ保持枠１０Ａは、大型の換気扇の換気扇枠１１にも使用することができる。この場合には、基材シート１４を三角屋根形状に折り曲げたのち、両取り付け板片１８を外折りし、換気扇枠１１のうち、換気口１２が形成された枠板１１ｂのうちで、換気口１２の中心線を中心とした線対称の部分に、各両面テープ１５を用いて固定する。このように、実施例２の換気扇フィルタ保持枠１０Ａは、サイズが異なる換気扇であっても使用することができる。
【００３８】
このように、実施例１の側面巻き込み防止枠２０に代えて、４段式の逆さピラミッド形状の側面巻き込み防止枠２０Ｂを採用したことで、各側面通気口３２の高さ方向の全長にわたって各側面通気口３２を３つに分割する梁が形成され、フィルタ１３の巻き込み防止効果が高まるという効果が得られる。
その他の構成、作用および効果は、実施例１と略同じであるため、説明を省略する。
【産業上の利用可能性】
【００３９】
この発明の換気扇フィルタ保持枠は、換気扇枠の換気口が多孔質板により覆われていない家庭用または業務用の換気扇用のものとして有用である。
【符号の説明】
【００４０】
１０、１０Ａ  換気扇フィルタ保持枠、
１１  換気扇枠、
１２  換気口、
１３  フィルタ、
１４  基材シート、
１５  両面テープ（固定部材）、
１６、１６Ａ  斜面枠部、
１７、１７Ａ  第１の板状ヒンジ部、
１８、１８Ａ  取り付け板片、
１９  第２の板状ヒンジ部、
２０、２０Ａ、２０Ｂ  側面巻き込み防止枠、
２１  通気口、
２２，２２Ａ，２２Ｂ  仕切り枠、
２３  部分通気口、
２４  補強リブ。
【要約】
【課題】斜面枠部の通気口を通した換気扇へのフィルタの巻き込みを防止することができ、しかも製造された時点で補強構造を有した換気扇フィルタ保持枠を提供する。
【解決手段】各斜面枠部に通気口を複数の部分通気口に分割する仕切り枠を、基材シートと同一素材で一体的に形成したので、斜面枠部の通気口を通した換気扇へのフィルタの巻き込みを防止できる。しかも、各仕切り枠および各斜面枠部に突条の補強リブを、基材シートと同一素材で一体的に形成したので、従来のように使用時に補強用の折り曲げ片を折り曲げる煩わしさがなく、製造された時点で補強構造を有したものとなる。
【選択図】図１【図１】
0004672089.tif 000002
【図２】
0004672089.tif 000003
【図３】
0004672089.tif 000004
【図４】
0004672089.tif 000005
【図５】
0004672089.tif 000006
【図６】
0004672089.tif 000007
【図７】
0004672089.tif 000008
【図８】
0004672089.tif 000009
【図９】
0004672089.tif 000010